(57)【要約】  【課題】  煮込み鍋を熱源から外鍋に移した後、鍋底に設置した集熱リングの熱エネルギーを利用して、食べ物を有効に再加温することのできる保温鍋の構造を提供する。  【解決手段】  煮込み鍋１２の底部中央に集熱リング１５をネジ止めし、鍋底１２２と集熱リング１５との間に適宜な間隔を開ける。このようにすることで、煮込み鍋１２を加熱した時に、集熱リング１５の温度は煮込み鍋１２の温度より数倍も高くなり、煮込み鍋１２を外鍋にセットした後でも、集熱リング１５の集熱作用により温度が保たれ、加熱作用が持続する。【選択図】  図６
0003106063.tif 000002
【実用新案登録請求の範囲】
【請求項１】
煮込み鍋と、前記煮込み鍋の底部にネジ止めにより、前記底部との間に所定の間隔を保持して固定された少なくとも一つ以上の集熱リングとを備え、前記煮込み鍋の底部を加熱した時に、前記集熱リングに熱を集めて高温にする一方、前記煮込み鍋と前記集熱リングとの間の所定の間隔により熱エネルギーを前記煮込み鍋に直接伝えず、また前記煮込み鍋内の液体の熱拡散作用により温度上昇制限を受けなくし、前記集熱リングの集熱作用により前記煮込み鍋に加温及び保温効果を持たせる仕組みを具備することを特徴とする保温鍋の構造。
【請求項２】
煮込み鍋の底部の中央にスクリューを有し、集熱リングの中央に前記スクリューに螺合するネジ穴を有する請求項１に記載の保温鍋の構造。
【請求項３】
複数の集熱リングが重ねて組み合わせられ、煮込み鍋の底部の中央にスクリューを有し、前記複数の集熱リングのうち、一番下の集熱リングの中央に前記スクリューに螺合するネジ穴を有し、他の集熱リングに前記スクリューを通す穴を有する請求項１に記載の保温鍋の構造。
【請求項４】
スクリューの先端が弧形に形成される請求項２又は３に記載の保温鍋の構造。
【請求項５】
複数の集熱リングが重ねて組み合わせられ、煮込み鍋の底部の中央にスクリュー及び前記スクリューの先端に螺合するナットを有し、前記全ての集熱リングの中心部に前記スクリューを通す穴を有する請求項１に記載の保温鍋の構造。
【請求項６】
スクリューの基端に幅の広い、適度な厚みをもつブロックを有する請求項２乃至５のいずれかに記載の保温鍋の構造。
【請求項７】
煮込み鍋の底部の中央にナットを有し、集熱リングの中央に前記ナットに螺合するスクリューを有する請求項１に記載の保温鍋の構造。
【請求項８】
複数の集熱リングが重ねて組み合わせられ、煮込み鍋の底部の中央にナットを有し、集熱リングの上面中央に前記ナットに螺合するスクリューを有するとともにその底面中央に次の集熱リングのスクリューを螺合するネジ穴を有する請求項１に記載の保温鍋の構造。
【請求項９】
集熱リングに、熱源の火を通過させて、煮込み鍋の底面に接触させる数個の貫通穴を有する請求項１乃至８のいずれかに記載の保温鍋の構造。
【請求項１０】
煮込み鍋と、前記煮込み鍋の底部全周に設けられた固定リングと、前記固定リングの内周にネジ結合され、前記煮込み鍋の底部との間に所定の間隔を保持して配置された少なくとも一つ以上の集熱リングとを備え、前記煮込み鍋の底部を加熱した時に、前記集熱リングに熱を集めて高温にする一方、前記煮込み鍋と前記集熱リングとの間の所定の間隔により熱エネルギーを前記煮込み鍋に直接伝えず、また前記煮込み鍋内の液体の熱拡散作用により温度上昇制限を受けなくし、前記集熱リングの集熱作用により前記煮込み鍋に加温及び保温効果を持たせる仕組みを具備することを特徴とする保温鍋の構造。
【請求項１１】
複数の集熱リングが重ねて組み合わせられ、固定リングの内周に内ネジを有し、前記複数の集熱リングのうち、一番下の集熱リングの外周に外ネジを有し、その他の集熱リングには外ネジを有しない請求項１０に記載の保温鍋の構造。
【請求項１２】
煮込み鍋の底部に、前記底部と集熱リングとの間に所定の間隔を保持する突起ブロックを有する請求項１０又は１１に記載の保温鍋の構造。
【考案の詳細な説明】
【技術分野】
【０００１】
本考案は、圧力鍋の中子或いは家庭用の煮込み鍋として利用し、長時間の加熱及び保温效果を有する保温鍋の構造に関するものである。
【背景技術】
【０００２】
熱源を切った後でも保温もしくは加熱機能を有する鍋具が既に市場に多く出回っている。図1に示す圧力鍋１０はその一例で、この圧力鍋１０は外鍋１１と外鍋１１の中に設置される中子１２とから構成される。図２にこれら外鍋１１と中子１２とを組み合わせて使用している状態を示す。外鍋１１は周面及び底部に亘って中空断熱保温層１１２が形成されて、断熱、保温機能をもっている。また上部には密封蓋１１１が付いている。一方、中子１２は上部周辺だけが外鍋１１の上部開口縁部に密着され、周面及び底部は外鍋１１と適切な間隔を保つようになっており、その上には鍋蓋１３が被せられる。使い方は、まず中子１２を例えばガスこん炉などの熱源上に置き、中子１２の食材等内容物を沸騰させた後、外鍋１１の中に移す。その後、外鍋１１の断熱機能により鍋の温度を一定に保ち、中子１２に入っている料理は継続的に加熱され、長時間の保温効果により保存される。また、中子１２の蓄熱機能と保温機能をさらに高めるために、一部の業者により中子１２の底部が厚みを増した増厚層１２１に改良されている。この増厚層１２１を加熱すると、鍋底の温度が上昇して、より優れた蓄熱効果と保温效果を発揮するが、熱エネルギーは中子に入っている食物にすぐに吸收されるため、温度低下も速く、機能の向上は見られるものの、ごく限られたものになっている。
【０００３】
この中子１２の問題点を解決しようと、本願考案者はある特殊な煮込み用中子を考案し、既に多くの国で特許を申請している（例えば、特許文献１参照。）。この中子の構造によれば、図３に示すように、中子１２の底に幾つかの固定チップ１８が設置され、固定チップ１８の下に一枚の集熱リング１９が固定されて、中子１２の底面と集熱リング１９との間には間隔Ｓが保持される。この中子１２はガスこん炉２０上で加熱されると、ガスこん炉２０の火が集熱リング１９の穴１９１を通じて鍋底に熱を送り、鍋の中の食物が（約９５℃に）沸騰した時に、集熱リング１９の温度は５００〜６００℃の高温状態となる。この場合、鍋底と集熱リング１９との間に間隔Ｓを保っているため、熱エネルギーは中子１２には直接伝わらず、中子１２を外鍋１１の中に移した後でも、集熱リング１９の再加温作用が働き、食物はすばやく温められ、調理時間を短縮できるうえ、燃料の使用量も大幅に減少するなど、従来の中子に比べて優れた機能を有している。
【特許文献１】台湾特許申請第９０２０３７６７号
【考案の開示】
【考案が解決しようとする課題】
【０００４】
しかしながら、上記従来の中子は、鍋底に集熱リングを追加したことにより、確かに優れた加温効果をもつものの、次のような問題点がある。
１．集熱リングが単片で中子の底に取付けられており、外鍋の中にセットして使う時に、その増温效果が既存の中子に比べて高いため、調理時間をもっと短くしなければならない。使用者の不注意で調理時間が過度に長くなると、鍋の中の食物を煮込み過ぎて、風味が損なわれてしまう。例えば、鍋のスイッチを入れてから出勤すると、帰宅時には料理が過熟状態になってしまい、好ましくない。
２．集熱リングは平面構造で、加熱後の集熱リングにはまだ５００〜６００℃の熱が残っているため、うっかりして中子をそのままテーブル上に置いたりすると、テーブルやテーブルシートを焼損させる恐れがある。
３．集熱リングは中子の底部に固定され、取り外しはもちろん、穴数の調整もできないため、温度の制御は不可能である。
４．通常、ガスが燃焼した時の燃焼率は約７０〜８０％で、完全燃焼（１００％）には至らないので、空気中にはガスの匂いが漂う。高温の集熱リングはガスの完全燃焼の效果を発揮することができるものの、通気穴が大きすぎたり、穴数が不充分であったりすると、必要な效果が見込めない。
【０００５】
本考案は、このような従来の課題を解決するもので、煮込み鍋を熱源から外鍋に移した後、鍋底に設置した集熱リングの熱エネルギーを利用して、食べ物を有効に再加温することのできる保温鍋の構造を提供することを目的とする。
【課題を解決するための手段】
【０００６】
上記課題を解決するために、本考案の保温鍋の構造は、中子又は煮込み鍋（以下、単に煮込み鍋という。）の底部中央にネジ止め方式で少なくとも一つ以上の集熱リングを固定するものである。この場合、鍋底と集熱リングとの間に適当な間隔を保持しておく。このようにして煮込み鍋の底を加熱すると、集熱リングは熱を集めて高温になる。この時、鍋底と集熱リングとは一定の間隔があるため、熱エネルギーは煮込み鍋には直接伝わらず、また鍋内の液体の熱拡散作用により温度上昇制限は受けない。この集熱リングの集熱作用を利用して煮込み鍋に加温及び保温效果をもたせる仕組みである。この保温鍋の構造をさらに次のように具体化する。第１に、煮込み鍋と集熱リングとを煮込み鍋の底部中央に設けたスクリューと集熱リングの中央に設けられたネジ穴との締結により固定する。第２に、複数の集熱リングを重ねて組み合わせてもよく、この場合に、一番下の集熱リングの中央に、煮込み鍋の底部中央に備えたスクリューに固定するネジ穴を設け、残りの他の集熱リングにはボルトを通すための中心穴を開ければよい。第３に、該スクリューの先端を弧形に形成することが好ましい。第４に、該スクリューの頂端（基端）に幅の広い、適度な厚みをもつブロックを設けることが好ましい。第５に、複数の集熱リングを重ねて組み合わせる場合に、第２のネジ止め方式に代えて、全ての集熱リングの中心に、煮込み鍋のボルトを通すための穴を開けて、スクリューの最下部（先端）をナットで止めるようにしてもよい。また、第６に、第１のネジ止め方式に代えて、煮込み鍋の底部中央にナットを半田付けにより固定し、また集熱リングの上部中央にスクリューを設けて、煮込み鍋のナットに集熱リングのスクリューをねじ込むようにしてもよい。第７に、複数の集熱リングを重ねて組み合わせる場合に、集熱リングの底面中央に次の集熱リングの上部中央にあるスクリューを固定するためのネジ穴を設けてもよい。第８に、集熱リングに、火を通過させて、煮込み鍋の底面に接触させるための数個の貫通穴を設けておく。
【０００７】
また、上記課題を解決するために、本考案の保温鍋の構造は、鍋底に固定リングを一回り設置し、この固定リングに集熱リングをネジ結合する。この場合、固定リングの内壁に内ネジを設けるとともに、集熱リングの外縁に外ネジを設け、固定リングの内ネジに集熱リングの外ネジをねじ込む。またこの場合に、鍋底と集熱リングとの間に適当な間隔を保つ。このようにして煮込み鍋を加熱した時に、集熱リングは熱を集めて高温になる。この時、鍋底と集熱リングとは一定の間隔があるため、熱エネルギーは煮込み鍋には直接伝わらず、また鍋内の液体の熱拡散作用により温度上昇制限は受けない。この集熱リングの集熱作用を利用して煮込み鍋に加温及び保温效果をもたせる仕組みである。この保温鍋の構造をさらに次のように具体化する。第１に、集熱リングを幾つか重ねて使う場合、一番下の集熱リングのみに外ネジを設けておけばよく、その他の集熱リングに外ネジを設ける必要はない。第２に、鍋底と集熱リングとの間隔を適度に保つために、鍋底に突起ブロックを設置する。
【考案の効果】
【０００８】
本考案の保温鍋の構造は、上記構成により、次のような作用効果を奏する。
１．食物の種類或いは調理時間に合わせて集熱リングを増減でき、この集熱リングの調節機能により、温度制御が可能となる。したがって、もっと温度を高くしたい時や加温時間を長くしたい時は集熱リングを増やせばよく、この逆の場合には集熱リングの数を減らせばよい。
２．集熱リングの穴に火を通過させて鍋底を加熱する作用がある。一般のガス燃焼率は約７０％しかないのに対して、この集熱リングを使った場合、不完全燃焼で残ったガスは５００〜６００℃の集熱リングを通過して再び燃焼し、完全燃焼に至る。これにより、鍋底のカーボンの蓄積や空気中のガスの匂いを無くし、有害物質の長期吸入による病変を防止することができる。
３．煮込み鍋に設けたスクリューの先端を弧形に形成し、この弧形の先端を集熱リングの下に突出して、煮込み鍋を水平に置けないようにすることにより、使用者がうっかりして加熱後の煮込み鍋をテーブル上に置いて、高温の集熱リングでテーブルやテーブルシートを焼損させる等といった事故を防止することができる。また、スクリューの先端にナットを固定した場合、ナットの突起部を集熱リングの下に突出させるようにしても、同様の効果を得ることができる。
４．集熱リングを使用することで、食物の煮込み時間を短縮することができるうえ、省エネルギーにも貢献できる。
【考案を実施するための最良の形態】
【０００９】
以下、本考案の第１乃至第７の実施の形態について図を用いて説明する。図４乃至図８に第１の実施の形態を示している。この実施の形態では、図４に示すように、圧力鍋に適用する中子、煮込み鍋１２として例示している。なお、図４中、圧力鍋１０の外鍋１１の構造については従来の外鍋と概ね同様であり、ここではその説明を省略するものとする。煮込み鍋１２は、鍋底１２２の中央に集熱リング１５がネジ止めされ、図５に示すように、鍋底１２２と集熱リング１５との間に適切な間隔Ｓ２を保つ構造に改良されている。この煮込み鍋１２を加熱すると、集熱リング１５の温度は煮込み鍋１２の温度よりも高くなるが、これは鍋底１２２と集熱リング１５との間に一定の間隔があるため、熱エネルギーは煮込み鍋１２に直接伝わらず、煮込み鍋１２の液体の熱拡散作用により集熱リング１５の温度上昇制限が無くなるからである。煮込み鍋１２を外鍋１１の中に移した後、集熱リング１５の集熱作用により、煮込み鍋１２に加温及び保温效果が働く。
【００１０】
この煮込み鍋１２に採用されたネジ止め方式は、図５に示すように、鍋底１２２の中央に一つのスクリュー１４が半田付けされ、他方、集熱リング１５の中央にネジ穴１５１が形成され、鍋底１２のスクリュー１４に集熱リング１５がネジ止めされる。鍋底１２２と集熱リング１５との最大間隔はＳ２であるが、集熱リング１５がさらにねじ込まれると、スクリュー１４の上部にあるブロック１４１に阻まれる。このブロック１４１の直径はスクリュー１４よりも大きく、その厚みＳ１が鍋底１２２と集熱リング１５との間の最小間隔となる。
【００１１】
図６に示すように、煮込み鍋１２を熱源２０(例えば、ガスこん炉)に置いて一定時間加熱した後、煮込み鍋１２の中に入っている食物が沸騰温度の約９５〜１００℃に達すると、集熱リング１５の温度は既に５００〜６００℃の高温状態となり、この状態で煮込み鍋１２を、図７に示すように、外鍋１１の中に移す。この時、煮込み鍋１２の上部１２０はちょうど外鍋１１の上枠１１３に当たり、集熱リング１５と外鍋１１の底面との接触が阻止される。このようにして、外鍋１１の温度は集熱リング１５の加温作用により、通常の９５〜１００℃から１００〜１１０℃以上まで上昇するため、一層優れた調理効率と保温効果が得られ、また省エネルギーにも役立つ。
【００１２】
また、この実施の形態では、煮込み鍋１２のスクリュー１４の先端部が弧形１４２に形成され、また、この弧形１４２の先端部は集熱リング１５にネジ止めされず、集熱リング１５の下に突出させる形に設けられる。これにより、煮込み鍋１２を水平に置くことができなくなるため、使用者が加熱後の煮込み鍋１２をテーブル上に置くのを阻止して、高温の集熱リング１５でテーブルやテーブルシートが損傷するのを防止することができる。
【００１３】
また、この煮込み鍋１２の場合、図８に示すように、鍋底１２２の周辺部全周に安全リング１２３が設置され、集熱リング１５の隠れスペースが設けられている。この隠れスペースの内側に集熱リング１５が収納できるうえ、安全リング１２３の厚さを集熱リング１５の厚さより大きくすることで、煮込み鍋１２をテーブル上もしくはテーブルシート（保温シート）上に置いた時に、テーブルやテーブルシートが焼損するのを防止することができる。また、安全リング１２３の側面に数個の穴１２４が設置されることにより、これらの穴１２４を通じて空気がスムーズに対流して、温度を迅速に下げることができる。
【００１４】
図９及び図１０に第２の実施の形態を示している。この実施の形態と第１の実施の形態との違いは、集熱リング１５のネジ止め方式にある。この実施の形態では、煮込み鍋１２の鍋底１２２中央に一つのナット１６が半田付けされ、集熱リング１５の頂面中央にスクリュー１５３が固定され、煮込み鍋１２の鍋底１２２に集熱リング１５がネジ止めされる。これにより鍋底１２２と集熱リング１５との間に一定の間隔が確保される。なお、鍋底１２２の周辺部に安全リング１２３が設置される点は、第１の実施の形態と同じである。
【００１５】
図１１及び図１２に第３の実施の形態を示している。この実施の形態と第１の実施の形態との違いは、煮込み鍋１２の鍋底１２２に複数個の集熱リング１５が積層される点にある。この実施の形態では、上中下の三つの集熱リング１５ａ、１５ｂ、１５ｃを備え、これら三つの集熱リング１５ａ、１５ｂ、１５ｃを組み合せている。上、真中の二つの集熱リング１５ｃ、１５ｂの中央にスクリュー１４が通過可能な貫通穴１５４が設けられ、下の集熱リング１５ａの中央にスクリュー１４が締結可能なネジ穴１５１が設けられている。このようにして煮込み鍋１２の鍋底１２２のスクリュー１４が、上、真中の集熱リング１５ｃ、１５ｂの貫通穴１５４に通され、一番下の集熱リング１５ａのネジ穴１５１に締結されて、これら三つの集熱リング１５ａ、１５ｂ、１５ｃが積み上げられている。また、これらの集熱リング１５ａ、１５ｂ、１５ｃが重ねられると、各集熱リング１５ａ、１５ｂ、１５ｃに設けられた全ての貫通穴１５２が揃えられ、これらの貫通穴１５２を通してガスこん炉の火が鍋底１２２まで届くようになっている。このような設計により、これら集熱リング１５ａ、１５ｂ、１５ｃの組み立て及び取り外し作業をよりスピーディに行えるだけでなく、これら集熱リング１５ａ、１５ｂ、１５ｃの貫通穴１５２を合わせ易くする効果もある。
【００１６】
これら三つの集熱リング１５の数は、食物の種類や煮込み時間によって増減される。天秤の錘と同じようなものである。例えば、緑豆の茹で上がりにはそれほど長い時間を必要としないので、一つの集熱リング１５で充分に調理でき、長時間の保温效果を発揮することができる。これに反して、集熱リング１５を幾つも使うと、緑豆が過熱状態でゆで過ぎとなる。これに対して、比較的に長い加熱時間を必要とする食べ物、例えば豚足などは二つ或いは二つ以上の集熱リング１５を使うことが望ましい。二つ乃至三つの集熱リング１５を使うことで、加温速度を速め、煮込み時間を短縮することができる。これに反して、集熱リング１５を一つだけにすると、加温速度が遅く、煮込み時間も長くかかることになる。したがって、集熱リング１５の数を適宜調整することで、調理時間を短縮すると同時に、省エネルギーにもつながる。
【００１７】
図１３及び図１４に第４の実施の形態を示している。この実施の形態と第３の実施の形態との違いは、集熱リング１５のネジ止め方式にある。この実施の形態では、上下二つの集熱リング１５が積層され、これらの集熱リング１５がともに中央にスクリュー１４を通す穴１５４を有し、これらの穴１５４を通したスクリュー１４の先端にナット１７がネジ止めされている。このようにすることで、上下二つの集熱リング１５の各穴１５２が確実に揃えられ、鍋底１２２を加熱することができる。また、ナット１７を集熱リング１５の下に突出させた形にすることで、煮込み鍋１２を直接、テーブル上に置くことはできないが、煮込み鍋１２の底部に安全リング１２３を取付けている場合は、そのままテーブルに置くことができる。
【００１８】
図１５及び図１６に第５の実施の形態を示している。この実施の形態と第２の実施の形態との違いは、集熱リング１５のネジ止め方式にある。この実施の形態では、上下二つの集熱リング１５が積層され、上の集熱リング１５の底面中央にあるネジ穴１５５と下の集熱リングの頂面中央にあるスクリュー１５３がネジ締結されている。このようにして各集熱リング１５が全てネジ止め方式で固定され、煮込み鍋１２の鍋底１２２と一番上の集熱リング１５との間に一定の間隔が確保される。
【００１９】
図１７及び図１８に第６の実施の形態を示している。この実施の形態と前記各実施の形態との違いは、安全リング１２５が煮込み鍋１２と一体成形ではなく、別体になっている点にある。この実施の形態では、安全リング１２５はアルミ合金で作られた厚さの薄いリングで、半田付け加工で鍋底１２２の円周に固定されている。さらに、安全リング１２５の上部開口に複数の突起ストッパー１２５１が内方に向けて設けられ、また、その内壁には複数の補強用突起ストライプ１２５２が取り付けられている。安全リング１２５は比較的薄いため、熱拡散効果は図８の厚型安全リング１２３よりも優れており、テーブル上に置いた場合にダメージが少ない。
【００２０】
このように第１乃至第６の実施の形態では、煮込み鍋１２の底部中央に集熱リング１５をネジ止めし、鍋底１２２と集熱リング１５との間に適宜な間隔を開けることで、煮込み鍋１２を加熱した時に、集熱リング１５の温度は煮込み鍋１２の温度より数倍も高くなり、煮込み鍋１２を外鍋にセットした後でも、集熱リング１５の集熱作用により温度を保ち、加熱作用を持続させる仕組みになっていて、この仕組みにより従来の課題を解決することができ、とりわけ次のような格別な効果を奏することができる。第１に、食物の種類或いは調理時間に合わせて集熱リング１５を増減でき、この集熱リング１５の調節機能により、温度制御が可能となる。したがって、もっと温度を高くしたい時や加温時間を長くしたい時は集熱リング１５を増やせばよく、この逆の場合には集熱リング１５の数を減らせばよい。第２に、集熱リング１５の穴１５２に火を通過させて鍋底を加熱する作用がある。一般のガス燃焼率は約７０％しかないのに対して、この集熱リング１５を使った場合、不完全燃焼で残ったガスは５００〜６００℃の集熱リング１５を通過して再び燃焼し、完全燃焼に至る。これにより、鍋底１２２のカーボンの蓄積や空気中のガスの匂いを無くし、有害物質の長期吸入による病変を防止することができる。第３に、煮込み鍋１２に設けたスクリュー１４の先端を弧形１４２に形成し、この弧形１４２の先端を集熱リング１５の下に突出して、煮込み鍋１２を水平に置けないようにすることにより、使用者がうっかりして加熱後の煮込み鍋１２をテーブル上に置き、高温の集熱リング１５でテーブルやテーブルシートを焼損させる等といった事故を防止することができる。また、スクリュー１４の先端にナット１７を固定した場合、ナット１５の突起部を集熱リング１５の下に突出させるようにしても、同様の効果を得ることができる。第４に、集熱リング１５を使用することで、食物の煮込み時間を短縮することができるうえ、省エネルギーにも貢献できる。
【００２１】
図１９及び図２０に第７の実施の形態を示している。この実施の形態と前記各実施の形態との違いは、集熱リング１５のネジ止め方式にある。この実施の形態では、煮込み鍋１２の鍋底１２２の下に固定リング１２３が設けられ、この固定リング１２３内に複数個の集熱リング１５が重ねて固定される。この場合、固定リング１２３の内壁に内ネジ１２６が切られている。複数の集熱リング１５のうち、一番下の集熱リング１５’の外周に外ネジ１５６が切られている。なお、その他の集熱リング１５の外側に外ネジを設ける必要はない。このようにして固定リング１２３内に上側の集熱リング１５が嵌め込まれ、続いて集熱リング１５’が固定リング１２３の内ネジ１２６と集熱リング１５’の外ネジ１５６がネジ合わされて固定される。これにより、各集熱リング１５、１５’が安全リング１２３の内側に隠された形となる。既述のとおり、各集熱リング１５、１５’には複数の穴１５２があり、集熱リング１５、１５’が重ねられて上下の各穴１５２が合わせられ、熱源の火がこれらの穴１５２を通過して鍋底１２２に届くようになっている。また、固定リング１２３には、数個の通気穴１２８が設けられ、燃焼時の空気の対流を助ける役割を果たしている。この場合、不完全燃焼のガスは高温の集熱リング１５、１５’の働きでさらに燃焼し、最終的には完全燃焼に近い状態に達し、鍋底１２２のカーボンの蓄積を減少させる効果がある。この他、各集熱リング１５、１５’には貫通穴１５２のほか、その周辺部にさらに導通穴１５７が設けられている。また、鍋底１２２の底に突起ブロック１２７が設置され、この突起ブロック１２７により鍋底１２２と集熱リング１５との間に適度の間隔を保つことができる。なお、この突起ブロック１２７はなくても差し支えない。
【００２２】
このように第７の実施の形態では、煮込み鍋１２の底部に複数の通気穴１２８をもつ固定リング１２３を設置し、この固定リング１２３の内側に集熱リング１５をネジ結合し、鍋底１２２と集熱リング１５との間に適宜な間隔を保ち、煮込み鍋１２を加熱した時に、集熱リング１５の温度は煮込み鍋１２の温度より数倍も高くなり、煮込み鍋１２を外鍋にセットした後でも、集熱リング１５の集熱作用により温度を保ち、加熱作用を持続させる仕組みになっていて、この仕組みにおいても、第１乃至第６の実施の形態と同様の効果を得ることができる。
【００２３】
以上、本考案を実施するための最良の形態について詳しく説明してきたが、本考案の要旨の範疇内で、この実施の形態で採用された技術に業者自身が各種変更を加えることができるが、この変更が、本考案の要旨を超えない同等の変更である限り、すべて本願考案の範疇に含まれるものである。
【図面の簡単な説明】
【００２４】
【図１】従来の圧力鍋の分解斜視図
【図２】同圧力鍋と中子の使用態様を示す垂直断面図
【図３】従来の改良された異なる中子の使用態様を示す部分断面側面図
【図４】本考案の第１の実施の形態における保温鍋の構造を示す分解斜視図
【図５】同構造に採用される煮込み鍋（中子）の垂直断面図
【図６】同構造に採用される煮込み鍋（中子）の使用態様として、煮込み鍋が熱源上で加熱されている状態を示す垂直断面図
【図７】同構造に採用される煮込み鍋（中子）の使用態様として、煮込み鍋が圧力鍋の中に移された状態を示す垂直断面図
【図８】同構造に採用される煮込み鍋（中子）の底部に設けられた安全リングを示す垂直断面図
【図９】本考案の第２の実施の形態における保温鍋の構造を示す分解斜視図
【図１０】同構造に採用される煮込み鍋（中子）の垂直断面図
【図１１】本考案の第３の実施の形態における保温鍋の構造を示す分解斜視図
【図１２】同構造に採用される煮込み鍋（中子）の使用態様として、煮込み鍋が圧力鍋の中に移された状態を示す垂直断面図
【図１３】本考案の第４の実施の形態における保温鍋の構造を示す分解斜視図
【図１４】同構造に採用される煮込み鍋（中子）の垂直断面図
【図１５】本考案の第５の実施の形態における保温鍋の構造を示す分解斜視図
【図１６】同構造に採用される煮込み鍋（中子）の垂直断面図
【図１７】本考案の第６の実施の形態における保温鍋の構造を示す分解斜視図
【図１８】同構造に採用される煮込み鍋（中子）の垂直断面図
【図１９】本考案の第７の実施の形態における保温鍋の構造を示す分解斜視図
【図２０】同構造に採用される煮込み鍋（中子）の垂直断面図
【符号の説明】
【００２５】
１０  圧力鍋
１１  外鍋
１１３  上枠
１２  煮込み鍋
１２０  上部
１２２  鍋底
１２３  安全リング
１２４  穴
１２５  安全リング
１２５１  突起ストッパー
１２５２  補強用突起ストライプ
１２６  内ネジ１２６
１２７  突起ブロック
１２８  通気穴
１４  スクリュー
１４１  ブロック
１４２  弧形
１５  集熱リング１５
１５’  集熱リング
１５ａ、１５ｂ、１５ｃ  集熱リング
１５１  ネジ穴
１５２  貫通穴
１５３  スクリュー
１５４  貫通穴
１５６  外ネジ
１５７  導通穴
１７  ナット
２０  熱源
【図１】
0003106063.tif 000003
【図２】
0003106063.tif 000004
【図３】
0003106063.tif 000005
【図４】
0003106063.tif 000006
【図５】
0003106063.tif 000007
【図６】
0003106063.tif 000008
【図７】
0003106063.tif 000009
【図８】
0003106063.tif 000010
【図９】
0003106063.tif 000011
【図１０】
0003106063.tif 000012
【図１１】
0003106063.tif 000013
【図１２】
0003106063.tif 000014
【図１３】
0003106063.tif 000015
【図１４】
0003106063.tif 000016
【図１５】
0003106063.tif 000017
【図１６】
0003106063.tif 000018
【図１７】
0003106063.tif 000019
【図１８】
0003106063.tif 000020
【図１９】
0003106063.tif 000021
【図２０】
0003106063.tif 000022